【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１の物理層プロトコルデータユニット（ＰＰＤＵ）を受信することと、
第２のＰＰＤＵを受信することと、
前記第２のＰＰＤＵが前記第１のＰＰＤＵと同じ基本サービスセットに関連づけられているかどうかを決定することと、
前記第２のＰＰＤＵが前記第１のＰＰＤＵと同じ基本サービスセットに関連づけられるときに、応答インジケーション延期カウンタの値を前記第２のＰＰＤＵによって示された値に更新することと、
を備える方法。
【請求項２】
前記第２のＰＰＤＵが前記第１のＰＰＤＵとは異なる基本サービスセットに関連づけられ、前記示された値が前記応答インジケーション延期カウンタの現在の値よりも小さいものではないときに、前記応答インジケーション延期カウンタを前記第２のＰＰＤＵによって示された前記値に更新することをさらに備える、請求項１に記載の方法。
【請求項３】
前記応答インジケーション延期の前記現在の値が、前記第２のＰＰＤＵの終端が受信されたときの前記応答インジケーション延期カウンタの値に対応する、請求項２に記載の方法。
【請求項４】
前記第２のＰＰＤＵのアップリンクインジケーションフィールドがアップリンクＰＰＤＵを示し、前記第２のＰＰＤＵのパーシャルアソシエーション識別情報（パーシャルＡＩＤ）フィールドが前記第１のＰＰＤＵの前記基本サービスセットに関連づけられたアクセスポイントのアドレスを示すときに、前記第２のＰＰＤＵが前記第１のＰＰＤＵと同じ基本サービスセットに関連づけられると決定することをさらに備える、請求項１に記載の方法。
【請求項５】
前記第２のＰＰＤＵのアップリンクインジケーションフィールドがダウンリンクＰＰＤＵを示し、前記第２のＰＰＤＵのＣＯＬＯＲフィールドが、前記第１のＰＰＤＵの前記基本サービスセットに関連づけられたアクセスポイントによって前記第２のＰＰＤＵが生成されたことを示すときに、前記第２のＰＰＤＵが前記第１のＰＰＤＵと同じ基本サービスセットに関連づけられると決定することをさらに備える、請求項１に記載の方法。
【請求項６】
前記第１のＰＰＤＵの少なくとも１つのパラメータに基づいて前記第１のＰＰＤＵに関連づけられた前記基本サービスセットを決定することと、
前記第２のＰＰＤＵの少なくとも１つのパラメータに基づいて前記第２のＰＰＤＵに関連づけられた前記基本サービスセットを決定することと、
をさらに備える、請求項１に記載の方法。
【請求項７】
前記第２のＰＰＤＵが、期待される応答のタイプを示す応答インジケーションを備え、前記期待される応答のタイプが、期待される応答なし、ヌルデータパケットの期待される応答、第１の長さを有する期待される応答、および前記第１の長さよりも長い第２の長さを有する期待される応答、のうちの少なくとも１つを含み、前記応答インジケーションは、前記第２の長さを有する前記期待される応答を示し、前記方法は、
前記第２のＰＰＤＵの帯域幅フィールド内のインジケーションに基づいて、前記応答インジケーション延期カウンタの前記値を最大ＰＰＤＵ送信時間に設定することをさらに備える、請求項１に記載の方法。
【請求項８】
前記第２のＰＰＤＵが、期待される応答のタイプを示す応答インジケーションを備え、前記期待される応答のタイプが、期待される応答なし、ヌルデータパケットの期待される応答、第１の長さを有する期待される応答、および前記第１の長さよりも長い第２の長さを有する期待される応答、のうちの少なくとも１つを含み、前記応答インジケーションは、前記第２の長さを有する前記期待される応答を示し、前記方法は、
前記応答インジケーション延期カウンタの前記値を、前記第２のＰＰＤＵに関連づけられた前記基本サービスセットの送信機会リミットに設定することをさらに備える、
請求項１に記載の方法。
【請求項９】
実行されたときに請求項１〜請求項８のいずれか一項に記載の方法に従ったステップをプロセッサに実行させるコードを備える、コンピュータプログラム。
【請求項１０】
ワイヤレス通信のための装置であって、
第１のＰＰＤＵを受信するための手段と、
第２のＰＰＤＵを受信するための手段、ここにおいて、前記装置は、前記第２のＰＰＤＵが前記第１のＰＰＤＵと同じ基本サービスセットに関連づけられているかどうかを決定するように適合され、前記装置は、
前記第２のＰＰＤＵが前記第１のＰＰＤＵと同じ基本サービスセットに関連づけられるときに、応答インジケーション延期カウンタを前記第２のＰＰＤＵによって示された値に更新するための手段をさらに備える、と、
を備える、装置。
【請求項１１】
前記第２のＰＰＤＵが前記第１のＰＰＤＵとは異なる基本サービスセットに関連づけられ、前記示された値が前記応答インジケーション延期カウンタの現在の値よりも小さいものではないときに、前記応答インジケーション延期カウンタを前記第２のＰＰＤＵによって示された値に更新するための手段をさらに備える、請求項１０に記載の装置。
【請求項１２】
前記第２のＰＰＤＵのアップリンクインジケーションフィールドがアップリンクＰＰＤＵを示し、前記第２のＰＰＤＵのパーシャルＡＩＤフィールドが前記第１のＰＰＤＵの前記基本サービスセットのアクセスポイントのアドレスを示すときに、前記第２のＰＰＤＵが前記第１のＰＰＤＵと同じ基本サービスセットに関連づけられることを決定するための手段をさらに備える、請求項１０に記載の装置。
【請求項１３】
前記第２のＰＰＤＵのアップリンクインジケーションフィールドがダウンリンクＰＰＤＵを示し、前記第２のＰＰＤＵのＣＯＬＯＲフィールドが前記第１のＰＰＤＵの前記基本サービスセットに関連づけられたアクセスポイントによって前記第２のＰＰＤＵが生成されたことを示すときに、前記第２のＰＰＤＵが前記第１のＰＰＤＵと同じ基本サービスセットに関連づけられると決定するための手段をさらに備える、請求項１０に記載の装置。
【請求項１４】
前記第２のＰＰＤＵが、期待される応答のタイプを示す応答インジケーションを備え、前記期待される応答のタイプが、期待される応答なし、ヌルデータパケットの期待される応答、第１の長さを有する期待される応答、および前記第１の長さよりも長い第２の長さを有する期待される応答、のうちの少なくとも１つを含み、前記応答インジケーションは、前記第２の長さを有する前記期待される応答を示し、前記装置が、
前記第２のＰＰＤＵの帯域幅フィールド内のインジケーションに基づいて、前記応答インジケーション延期カウンタの前記値を最大ＰＰＤＵ送信時間に設定するための手段をさらに備える、請求項１０に記載の装置。
【請求項１５】
前記第２のＰＰＤＵが、期待される応答のタイプを示す応答インジケーションを備え、前記期待される応答のタイプが、期待される応答なし、ヌルデータパケットの期待される応答、第１の長さを有する期待される応答、および前記第１の長さよりも長い第２の長さを有する期待される応答、のうちの少なくとも１つを含み、前記応答インジケーションは、前記第２の長さを有する前記期待される応答を示し、前記装置が、
前記応答インジケーション延期カウンタの前記値を、前記第２のＰＰＤＵに関連づけられた前記基本サービスセットの送信機会リミットに設定するための手段をさらに備える、請求項１０に記載の装置。
【手続補正２】
【補正対象書類名】明細書
【補正対象項目名】００７４
【補正方法】変更
【補正の内容】
【００７４】
[0079]  以上は本開示の諸態様を対象としているが、本開示の他のおよびさらなる態様が、その基本的な範囲から逸脱することなく考案され得、その範囲は、添付の特許請求の範囲によって決定される。
以下に本願の出願当初の特許請求の範囲に記載された発明を付記する。
［Ｃ１］
ワイヤレス通信のための方法であって、
第１の物理層プロトコルデータユニット（ＰＰＤＵ）を受信することと、
第２のＰＰＤＵを受信することと、
前記第２のＰＰＤＵが前記第１のＰＰＤＵと同じ基本サービスセットに関連づけられるときに、応答インジケーション延期カウンタの値を前記第２のＰＰＤＵによって示された値に更新することと、
を備える方法。
［Ｃ２］
前記第２のＰＰＤＵが前記第１のＰＰＤＵとは異なる基本サービスセットに関連づけられ、前記示された値が前記応答インジケーション延期カウンタの現在の値よりも小さいものではないときに、前記応答インジケーション延期カウンタを前記第２のＰＰＤＵによって示された前記値に更新することをさらに備える、Ｃ１に記載の方法。
［Ｃ３］
前記応答インジケーション延期の前記現在の値が、前記第２のＰＰＤＵの終端が受信されたときの前記応答インジケーション延期カウンタの値に対応する、Ｃ２に記載の方法。
［Ｃ４］
前記第２のＰＰＤＵのアップリンクインジケーションフィールドがアップリンクＰＰＤＵを示し、前記第２のＰＰＤＵのパーシャルアソシエーション識別情報（パーシャルＡＩＤ）フィールドが前記第１のＰＰＤＵの前記基本サービスセットに関連づけられたアクセスポイントのアドレスを示すときに、前記第２のＰＰＤＵが前記第１のＰＰＤＵと同じ基本サービスセットに関連づけられると決定することをさらに備える、Ｃ１に記載の方法。
［Ｃ５］
前記第２のＰＰＤＵのアップリンクインジケーションフィールドがダウンリンクＰＰＤＵを示し、前記第２のＰＰＤＵのＣＯＬＯＲフィールドが、前記第１のＰＰＤＵの前記基本サービスセットに関連づけられたアクセスポイントによって前記第２のＰＰＤＵが生成されたことを示すときに、前記第２のＰＰＤＵが前記第１のＰＰＤＵと同じ基本サービスセットに関連づけられると決定することをさらに備える、Ｃ１に記載の方法。
［Ｃ６］
前記第１のＰＰＤＵの少なくとも１つのパラメータに基づいて前記第１のＰＰＤＵに関連づけられた前記基本サービスセットを決定することと、
前記第２のＰＰＤＵの少なくとも１つのパラメータに基づいて前記第２のＰＰＤＵに関連づけられた前記基本サービスセットを決定することと、
をさらに備える、Ｃ１に記載の方法。
［Ｃ７］
前記第２のＰＰＤＵが、期待される応答のタイプを示す応答インジケーションを備え、前記期待される応答のタイプが、期待される応答なし、ヌルデータパケットの期待される応答、第１の長さを有する期待される応答、および前記第１の長さよりも長い第２の長さを有する期待される応答、のうちの少なくとも１つを含み、前記応答インジケーションは、前記第２の長さを有する前記期待される応答を示し、前記方法は、
前記第２のＰＰＤＵの帯域幅フィールド内のインジケーションに基づいて、前記応答インジケーション延期カウンタの前記値を最大ＰＰＤＵ送信時間に設定することをさらに備える、Ｃ１に記載の方法。
［Ｃ８］
前記第２のＰＰＤＵが、期待される応答のタイプを示す応答インジケーションを備え、前記期待される応答のタイプが、期待される応答なし、ヌルデータパケットの期待される応答、第１の長さを有する期待される応答、および前記第１の長さよりも長い第２の長さを有する期待される応答、のうちの少なくとも１つを含み、前記応答インジケーションは、前記第２の長さを有する前記期待される応答を示し、前記方法は、
前記応答インジケーション延期カウンタの前記値を、前記第２のＰＰＤＵに関連づけられた前記基本サービスセットの送信機会リミットに設定することをさらに備える、
Ｃ１に記載の方法。
［Ｃ９］
ワイヤレス通信のための装置であって、
第１のＰＰＤＵを受信することと、第２のＰＰＤＵを受信することとを行うように構成された受信機と、
前記第２のＰＰＤＵが前記第１のＰＰＤＵと同じ基本サービスセットに関連づけられるときに、応答インジケーション延期カウンタを前記第２のＰＰＤＵによって示された値に更新するように構成されたプロセッサと、
を備える装置。
［Ｃ１０］
前記プロセッサが、前記第２のＰＰＤＵが前記第１のＰＰＤＵとは異なる基本サービスセットに関連づけられ、前記示された値が前記応答インジケーション延期カウンタの現在の値よりも小さいものではないときに、前記応答インジケーション延期カウンタを前記第２のＰＰＤＵによって示された前記値に更新するようにさらに構成された、Ｃ９に記載の装置。
［Ｃ１１］
前記応答インジケーション延期の前記現在の値が、前記第２のＰＰＤＵの終端が受信されたときの前記応答インジケーション延期カウンタの値に対応する、Ｃ１０に記載の装置。
［Ｃ１２］
前記プロセッサが、前記第２のＰＰＤＵのアップリンクインジケーションフィールドがアップリンクＰＰＤＵを示し、前記第２のＰＰＤＵのパーシャルＡＩＤフィールドが前記第１のＰＰＤＵの前記基本サービスセットに関連づけられたアクセスポイントのアドレスを示すときに、前記第２のＰＰＤＵが前記第１のＰＰＤＵと同じ基本サービスセットに関連づけられると決定するようにさらに構成された、Ｃ９に記載の装置。
［Ｃ１３］
前記プロセッサが、前記第２のＰＰＤＵのアップリンクインジケーションフィールドがダウンリンクＰＰＤＵを示し、前記第２のＰＰＤＵのＣＯＬＯＲフィールドが、前記第１のＰＰＤＵの前記基本サービスセットに関連づけられたアクセスポイントによって前記第２のＰＰＤＵが生成されたことを示すときに、前記第２のＰＰＤＵが前記第１のＰＰＤＵと同じ基本サービスセットに関連づけられると決定するようにさらに構成された、Ｃ９に記載の装置。
［Ｃ１４］
前記プロセッサが、
前記第１のＰＰＤＵの少なくとも１つのパラメータに基づいて前記第１のＰＰＤＵに関連づけられた前記基本サービスセットを決定することと、
前記第２のＰＰＤＵの少なくとも１つのパラメータに基づいて前記第２のＰＰＤＵに関連づけられた前記基本サービスセットを決定することと、を行うようにさらに構成された、
Ｃ９に記載の装置。
［Ｃ１５］
前記第２のＰＰＤＵが、期待される応答のタイプを示す応答インジケーションを備え、前記期待される応答のタイプが、期待される応答なし、ヌルデータパケットの期待される応答、第１の長さを有する期待される応答、および前記第１の長さよりも長い第２の長さを有する期待される応答、のうちの少なくとも１つを含み、前記応答インジケーションは、前記第２の長さを有する前記期待される応答を示し、
前記プロセッサは、前記第２のＰＰＤＵの帯域幅フィールド内のインジケーションに基づいて、前記応答インジケーション延期カウンタの前記値を最大ＰＰＤＵ送信時間に設定するようにさらに構成された、Ｃ９に記載の装置。
［Ｃ１６］
前記第２のＰＰＤＵが、期待される応答のタイプを示す応答インジケーションを備え、前記期待される応答のタイプが、期待される応答なし、ヌルデータパケットの期待される応答、第１の長さを有する期待される応答、および前記第１の長さよりも長い第２の長さを有する期待される応答、のうちの少なくとも１つを含み、前記応答インジケーションは、前記第２の長さを有する前記期待される応答を示し、
前記プロセッサは、前記応答インジケーション延期カウンタの前記値を、前記第２のＰＰＤＵに関連づけられた前記基本サービスセットの送信機会リミットに設定するようにさらに構成された、Ｃ９に記載の装置。
［Ｃ１７］
実行されたときにワイヤレス通信の方法をプロセッサに実行させるコードを備える、非一時的なコンピュータ可読媒体であって、前記方法は、
第１のＰＰＤＵを受信することと、
第２のＰＰＤＵを受信することと、
前記第２のＰＰＤＵが前記第１のＰＰＤＵと同じ基本サービスセットに関連づけられるときに、応答インジケーション延期カウンタの値を前記第２のＰＰＤＵによって示された値に更新することと、
を備える、非一時的なコンピュータ可読媒体。
［Ｃ１８］
前記コードは、実行されたときに、前記第２のＰＰＤＵが前記第１のＰＰＤＵとは異なる基本サービスセットに関連づけられ、前記第２のＰＰＤＵによって示された前記値が前記応答インジケーション延期カウンタの現在の値よりも小さいものではないときに、前記応答インジケーション延期カウンタを前記第２のＰＰＤＵによって示された前記値に更新することをさらに備える前記方法を前記プロセッサに実行させる、Ｃ１７に記載の媒体。
［Ｃ１９］
前記応答インジケーション延期の前記現在の値が、前記第２のＰＰＤＵの終端が受信されたときの前記応答インジケーション延期カウンタの値に対応する、Ｃ１８に記載の媒体。
［Ｃ２０］
前記コードは、実行されたときに、前記第２のＰＰＤＵのアップリンクインジケーションフィールドがアップリンクＰＰＤＵを示し、前記第２のＰＰＤＵのパーシャルＡＩＤフィールドが前記第１のＰＰＤＵの前記基本サービスセットに関連づけられたアクセスポイントのアドレスを示すときに、前記第２のＰＰＤＵが前記第１のＰＰＤＵと同じ基本サービスセットに関連づけられると決定することをさらに備える前記方法を前記プロセッサに実行させる、Ｃ１７に記載の媒体。
［Ｃ２１］
前記コードは、実行されたときに、前記第２のＰＰＤＵのアップリンクインジケーションフィールドがダウンリンクＰＰＤＵを示し、前記第２のＰＰＤＵのＣＯＬＯＲフィールドが、前記第１のＰＰＤＵの前記基本サービスセットに関連づけられたアクセスポイントによって前記第２のＰＰＤＵが生成されたことを示すときに、前記第２のＰＰＤＵが前記第１のＰＰＤＵと同じ基本サービスセットに関連づけられると決定することをさらに備える前記方法を前記プロセッサに実行させる、Ｃ１７に記載の媒体。
［Ｃ２２］
前記コードは、実行されたときに、
前記第１のＰＰＤＵの少なくとも１つのパラメータに基づいて前記第１のＰＰＤＵに関連づけられた前記基本サービスセットを決定することと、
前記第２のＰＰＤＵの少なくとも１つのパラメータに基づいて前記第２のＰＰＤＵに関連づけられた前記基本サービスセットを決定することと、
をさらに備える前記方法を前記プロセッサに実行させる、Ｃ１７に記載の媒体。
［Ｃ２３］
前記第２のＰＰＤＵが、期待される応答のタイプを示す応答インジケーションを備え、前記期待される応答のタイプが、期待される応答なし、ヌルデータパケットの期待される応答、第１の長さを有する期待される応答、および前記第１の長さよりも長い第２の長さを有する期待される応答、のうちの少なくとも１つを含み、前記応答インジケーションは、前記第２の長さを有する前記期待される応答を示し、前記方法は、
前記第２のＰＰＤＵの帯域幅フィールド内のインジケーションに基づいて、前記応答インジケーション延期カウンタの前記値を最大ＰＰＤＵ送信時間に設定することをさらに備える、Ｃ１７に記載の媒体。
［Ｃ２４］
前記第２のＰＰＤＵが、期待される応答のタイプを示す応答インジケーションを備え、前記期待される応答のタイプが、期待される応答なし、ヌルデータパケットの期待される応答、第１の長さを有する期待される応答、および前記第１の長さよりも長い第２の長さを有する期待される応答、のうちの少なくとも１つを含み、前記応答インジケーションは、前記第２の長さを有する前記期待される応答を示し、前記方法は、
前記応答インジケーション延期カウンタの前記値を、前記第２のＰＰＤＵに関連づけられた前記基本サービスセットの送信機会リミットに設定することをさらに備える、Ｃ１７に記載の媒体。
［Ｃ２５］
ワイヤレス通信のための装置であって、
第１のＰＰＤＵを受信するための手段と、
第２のＰＰＤＵを受信するための手段と、
前記第２のＰＰＤＵが前記第１のＰＰＤＵと同じ基本サービスセットに関連づけられるときに、応答インジケーション延期カウンタを前記第２のＰＰＤＵによって示された値に更新するための手段と、
を備える装置。
［Ｃ２６］
前記第２のＰＰＤＵが前記第１のＰＰＤＵとは異なる基本サービスセットに関連づけられ、前記示された値が前記応答インジケーション延期カウンタの現在の値よりも小さいものではないときに、前記応答インジケーション延期カウンタを前記第２のＰＰＤＵによって示された値に更新するための手段をさらに備える、Ｃ２５に記載の装置。
［Ｃ２７］
前記第２のＰＰＤＵのアップリンクインジケーションフィールドがアップリンクＰＰＤＵを示し、前記第２のＰＰＤＵのパーシャルＡＩＤフィールドが前記第１のＰＰＤＵの前記基本サービスセットのアクセスポイントのアドレスを示すときに、前記第２のＰＰＤＵが前記第１のＰＰＤＵと同じ基本サービスセットに関連づけられることを決定するための手段をさらに備える、Ｃ２５に記載の装置。
［Ｃ２８］
前記第２のＰＰＤＵのアップリンクインジケーションフィールドがダウンリンクＰＰＤＵを示し、前記第２のＰＰＤＵのＣＯＬＯＲフィールドが前記第１のＰＰＤＵの前記基本サービスセットに関連づけられたアクセスポイントによって前記第２のＰＰＤＵが生成されたことを示すときに、前記第２のＰＰＤＵが前記第１のＰＰＤＵと同じ基本サービスセットに関連づけられると決定するための手段をさらに備える、Ｃ２５に記載の装置。
［Ｃ２９］
前記第２のＰＰＤＵが、期待される応答のタイプを示す応答インジケーションを備え、前記期待される応答のタイプが、期待される応答なし、ヌルデータパケットの期待される応答、第１の長さを有する期待される応答、および前記第１の長さよりも長い第２の長さを有する期待される応答、のうちの少なくとも１つを含み、前記応答インジケーションは、前記第２の長さを有する前記期待される応答を示し、前記装置が、
前記第２のＰＰＤＵの帯域幅フィールド内のインジケーションに基づいて、前記応答インジケーション延期カウンタの前記値を最大ＰＰＤＵ送信時間に設定するための手段をさらに備える、Ｃ２５に記載の装置。
［Ｃ３０］
前記第２のＰＰＤＵが、期待される応答のタイプを示す応答インジケーションを備え、前記期待される応答のタイプが、期待される応答なし、ヌルデータパケットの期待される応答、第１の長さを有する期待される応答、および前記第１の長さよりも長い第２の長さを有する期待される応答、のうちの少なくとも１つを含み、前記応答インジケーションは、前記第２の長さを有する前記期待される応答を示し、前記装置が、
前記応答インジケーション延期カウンタの前記値を、前記第２のＰＰＤＵに関連づけられた前記基本サービスセットの送信機会リミットに設定するための手段をさらに備える、Ｃ２５に記載の装置。